【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
複数の機器と、情報入力インタフェースを有する複数の端末と、ネットワークを介して前記複数の機器および前記複数の端末に接続された管理サーバーとを備える通信制御システムであって、
前記管理サーバーは、
記憶部と、
前記複数の端末のうちいずれかの端末から、ユーザーの情報、および、前記複数の機器のうちいずれかの機器と前記管理サーバーとが通信するときに前記通信制御システムが実行する処理の情報である処理情報を受け付け、受け付けた当該処理情報を当該機器および当該ユーザーに対応づけて前記記憶部に記憶する処理登録部と、
前記機器と前記管理サーバーとが通信するときに、当該機器に対応づけて前記記憶部に記憶されている前記処理情報を用いて処理を実行するように、前記通信制御システムの動作を制御する処理制御部とを備え、
前記通信制御システムは、さらに、前記機器および前記管理サーバーと通信する中継器を備え、
前記処理登録部は、前記処理情報として、前記機器と前記中継器との間における通信仕様を含む情報を受け付け、受け付けた当該情報を前記記憶部に記憶し、
前記処理制御部は、前記機器と前記管理サーバーとが通信するときに、前記中継器と当該管理サーバーとが通信し、さらに、当該中継器と当該機器とが前記記憶部に記憶されている前記通信仕様を用いて通信することで、当該中継器が当該機器と当該管理サーバーとの通信を中継するように当該中継器の動作を制御する
通信制御システム。
【請求項２】
前記中継器は、複数の機器接続インタフェースを備え、
前記機器は、前記複数の機器接続インタフェースのうちいずれかの機器接続インタフェースを介して前記中継器と接続し、
前記処理登録部は、前記通信仕様として、前記複数の機器接続インタフェースのうちいずれかを指定する情報を受け付け、受け付けた当該情報を前記記憶部に記憶し、
前記処理制御部は、前記機器と前記管理サーバーとが通信するときに、前記中継器と当該管理サーバーとが通信し、さらに、当該中継器と当該機器とが前記複数の機器接続インタフェースのうち前記通信仕様により指定された機器接続インタフェースを介して通信することで、当該中継器が当該機器と当該管理サーバーとの通信を中継するように当該中継器の動作を制御する
請求項１に記載の通信制御システム。
【請求項３】
前記中継器は、データ通信に用いられる携帯電話であり、
前記携帯電話は、
前記機器および前記管理サーバーと通信するプログラムを受信するプログラム受信部と、
前記プログラム受信部が受信したプログラムを実行することにより前記機器と前記管理サーバーとの通信を中継するプログラム実行部とを備える
請求項１または請求項２に記載の通信制御システム。
【請求項４】
前記中継器は、さらに、
前記中継器から前記管理サーバーにデータを送信する前に送信するデータの内容を表示するデータ表示部を備える
請求項１から請求項３のいずれか１項に記載の通信制御システム。
【請求項５】
前記処理登録部は、前記処理情報として、前記機器から受信するデータのデータ仕様を含む情報を受け付け、受け付けた当該情報を前記記憶部に記憶し、
前記処理制御部は、前記データ仕様を用いて前記機器から受信したデータを解読し、解読されたデータを前記記憶部に記憶する
請求項１から請求項４のいずれか１項に記載の通信制御システム。
【請求項６】
前記処理登録部は、前記データ仕様として、前記機器から受信するデータ行について列単位にデータ仕様を指定する情報を受け付け、受け付けた当該情報を前記記憶部に記憶し、
前記処理制御部は、前記データ仕様を用いて前記機器から受信したデータ行を列単位に解読し、解読されたデータを前記記憶部に記憶する
請求項５に記載の通信制御システム。
【請求項７】
前記処理登録部は、前記処理情報として、警告条件を含む情報を受け付け、受け付けた当該情報を前記記憶部に記憶し、
前記処理制御部は、前記機器から受信したデータが、記憶されている前記警告条件に該当する場合は、前記端末に警告を通知するように前記管理サーバーの動作を制御する
請求項５または請求項６に記載の通信制御システム。
【請求項８】
前記通信制御システムは、さらに、
前記ネットワークを介して接続されるデータ受信機器を備え、
前記処理登録部は、前記処理情報として、警告条件を含む情報を受け付け、受け付けた当該情報を前記記憶部に記憶し、
前記処理制御部は、前記機器から受信したデータが、記憶されている前記警告条件に該当する場合は、前記データ受信機器に警告を通知するように前記管理サーバーの動作を制御する
請求項５から請求項７のいずれか１項に記載の通信制御システム。
【請求項９】
前記管理サーバーは、さらに、
前記複数の端末のうちいずれかの端末から、ユーザーの情報、および、データの送信要求を受け付け、当該ユーザーと対応づけられた前記データ仕様を用いて解読されて前記記憶部に記憶されているデータを抽出し、当該データを当該端末に送信するデータ抽出部を備える
請求項５から請求項８のいずれか１項に記載の通信制御システム。
【請求項１０】
前記処理登録部は、前記処理情報として、前記機器の動作を指示する指示情報を含む情報を受け付け、受け付けた当該情報を前記記憶部に記憶し、
前記処理制御部は、前記機器と前記管理サーバーとが通信するときに、当該機器が前記指示情報で指示された動作を行うように、当該機器の動作を制御する
請求項１から請求項９のいずれか１項に記載の通信制御システム。
【請求項１１】
前記処理登録部は、前記処理情報として、前記機器のソフトウェアモジュールアップデートを指示する指示情報を含む情報を受け付け、受け付けた当該情報を前記記憶部に記憶し、
前記処理制御部は、前記機器と前記管理サーバーとが通信するときに、当該機器が前記指示情報で指示されたソフトウェアモジュールアップデートを実行するように、当該機器の動作を制御する
請求項１０に記載の通信制御システム。
【請求項１２】
前記処理登録部は、さらに、前記処理情報を用いて通信を伴う処理を実行するタイミングを含む情報を受け付け、受け付けた当該情報を前記記憶部に記憶し、
前記処理制御部は、前記記憶部に記憶されている前記タイミングに前記処理情報を用いて通信を伴う処理を実行するように、前記通信制御システムの動作を制御する
請求項１から請求項１１のいずれか１項に記載の通信制御システム。
【請求項１３】
前記管理サーバーは、さらに、
前記端末または前記機器から、前記複数の機器のいずれかの機器に対応する処理情報について、当該処理情報を用いる処理の実行要求を受け付け、当該実行要求を受け付けたときに、当該処理情報を用いて処理を実行するように前記通信制御システムの動作を制御する処理制御ＡＰＩ（Ａｐｐｌｉｃａｔｉｏｎ  Ｐｒｏｇｒａｍｍｉｎｇ  Ｉｎｔｅｒｆａｃｅ）を備える
請求項１から請求項１２のいずれか１項に記載の通信制御システム。
【請求項１４】
前記管理サーバーは、さらに、
前記端末または前記機器から、ユーザーの情報、および、前記複数の機器のいずれかの機器に対応する処理情報を受け付け、当該処理情報を当該機器および当該ユーザーに対応づけて前記記憶部に記憶する処理登録ＡＰＩを備える
請求項１から請求項１３のいずれか１項に記載の通信制御システム。
【請求項１５】
前記管理サーバーは、さらに、
前記端末または前記機器から、ユーザーの情報、および、データの送信要求を受け付け、当該ユーザーと対応づけられた前記データ仕様を用いて解読されて前記記憶部に記憶されているデータを抽出し、送信要求を行った前記端末または前記機器に当該データを送信するデータ抽出ＡＰＩを備える
請求項５から請求項９のいずれか１項に記載の通信制御システム。
【請求項１６】
複数の機器と情報入力インタフェースを有する複数の端末とを備える通信制御システムに含まれ、ネットワークを介して前記複数の機器および前記複数の端末に接続された通信制御装置であって、
記憶部と、
前記複数の端末のうちいずれかの端末から、ユーザー情報、および、前記複数の機器のうちいずれかの機器と当該通信制御装置とが通信するときに前記通信制御システムが実行する処理の情報である処理情報を受け付け、受け付けた当該処理情報を当該機器および当該ユーザーに対応づけて前記記憶部に記憶する処理登録部と、
前記機器と当該通信制御装置とが通信するときに、当該機器に対応づけて前記記憶部に記憶されている前記処理情報を用いて処理を実行するように、前記通信制御システムの動作を制御する処理制御部とを備え、
前記処理登録部は、前記処理情報として、前記機器および前記通信制御装置と通信する中継器と、前記機器との間における通信仕様を含む情報を受け付け、受け付けた当該情報を前記記憶部に記憶し、
前記処理制御部は、前記機器と前記通信制御装置とが通信するときに、前記中継器と当該通信制御装置とが通信し、さらに、当該中継器と当該機器とが前記記憶部に記憶されている前記通信仕様を用いて通信することで、当該中継器が当該機器と当該通信制御装置との通信を中継するように当該中継器の動作を制御する
通信制御装置。
【請求項１７】
複数の機器と、情報入力インタフェースを有する複数の端末と、ネットワークを介して前記複数の機器および前記複数の端末に接続された管理サーバーとを備える通信制御システムにおける通信制御方法であって、
前記複数の端末のうちいずれかの端末から、ユーザーの情報、および、前記複数の機器のうちいずれかの機器と前記管理サーバーとが通信するときに前記通信制御システムが実行する処理の情報である処理情報を受け付け、受け付けた当該処理情報を当該機器および当該ユーザーに対応づけて前記管理サーバーに備えられた記憶部に記憶する処理登録ステップと、
前記機器と前記管理サーバーとが通信するときに、当該機器に対応づけて前記記憶部に記憶されている前記処理情報を用いて処理を実行するように、前記通信制御システムの動作を制御する処理制御ステップとを含み、
前記処理登録ステップでは、前記処理情報として、前記機器および前記管理サーバーと通信する中継器と、前記機器との間における通信仕様を含む情報を受け付け、受け付けた当該情報を前記記憶部に記憶し、
前記処理制御ステップでは、前記機器と前記管理サーバーとが通信するときに、前記中継器と当該管理サーバーとが通信し、さらに、当該中継器と当該機器とが前記記憶部に記憶されている前記通信仕様を用いて通信することで、当該中継器が当該機器と当該管理サーバーとの通信を中継するように当該中継器の動作を制御する
通信制御方法。
【請求項１８】
請求項１７に記載の通信制御方法をコンピュータに実行させる
通信制御プログラム。
【手続補正２】
【補正対象書類名】明細書
【補正対象項目名】０００９
【補正方法】変更
【補正の内容】
【０００９】
上記目的を達成するために、本発明に係る通信制御システムは、複数の機器と、情報入力インタフェースを有する複数の端末と、ネットワークを介して前記複数の機器および前記複数の端末に接続された管理サーバーとを備える通信制御システムであって、前記管理サーバーは、記憶部と、前記複数の端末のうちいずれかの端末から、ユーザーの情報、および、前記複数の機器のうちいずれかの機器と前記管理サーバーとが通信するときに前記通信制御システムが実行する処理の情報である処理情報を受け付け、受け付けた当該処理情報を当該機器および当該ユーザーに対応づけて前記記憶部に記憶する処理登録部と、前記機器と前記管理サーバーとが通信するときに、当該機器に対応づけて前記記憶部に記憶されている前記処理情報を用いて処理を実行するように、前記通信制御システムの動作を制御する処理制御部とを備え、前記通信制御システムは、さらに、前記機器および前記管理サーバーと通信する中継器を備え、前記処理登録部は、前記処理情報として、前記機器と前記中継器との間における通信仕様を含む情報を受け付け、受け付けた当該情報を前記記憶部に記憶し、前記処理制御部は、前記機器と前記管理サーバーとが通信するときに、前記中継器と当該管理サーバーとが通信し、さらに、当該中継器と当該機器とが前記記憶部に記憶されている前記通信仕様を用いて通信することで、当該中継器が当該機器と当該管理サーバーとの通信を中継するように当該中継器の動作を制御する。
また、本発明に係る通信制御システムは、複数の機器と、情報入力インタフェースを有する複数の端末と、ネットワークを介して前記複数の機器および前記複数の端末に接続された管理サーバーとを備える通信制御システムであって、前記管理サーバーは、記憶部と、前記複数の端末のうちいずれかの端末から、ユーザーの情報、および、前記複数の機器のうちいずれかの機器と前記管理サーバーとが通信するときに前記通信制御システムが実行する処理の情報である処理情報を受け付け、受け付けた当該処理情報を当該機器および当該ユーザーに対応づけて前記記憶部に記憶する処理登録部と、前記機器と前記管理サーバーとが通信するときに、当該機器に対応づけて前記記憶部に記憶されている前記処理情報を用いて処理を実行するように、前記通信制御システムの動作を制御する処理制御部とを備えてもよい。
【手続補正３】
【補正対象書類名】明細書
【補正対象項目名】００３２
【補正方法】変更
【補正の内容】
【００３２】
また、本発明に係る通信制御装置は、複数の機器と情報入力インタフェースを有する複数の端末とを備える通信制御システムに含まれ、ネットワークを介して前記複数の機器および前記複数の端末に接続された通信制御装置であって、記憶部と、前記複数の端末のうちいずれかの端末から、ユーザー情報、および、前記複数の機器のうちいずれかの機器と当該通信制御装置とが通信するときに前記通信制御システムが実行する処理の情報である処理情報を受け付け、受け付けた当該処理情報を当該機器および当該ユーザーに対応づけて前記記憶部に記憶する処理登録部と、前記機器と当該通信制御装置とが通信するときに、当該機器に対応づけて前記記憶部に記憶されている前記処理情報を用いて処理を実行するように、前記通信制御システムの動作を制御する処理制御部とを備え、前記処理登録部は、前記処理情報として、前記機器および前記通信制御装置と通信する中継器と、前記機器との間における通信仕様を含む情報を受け付け、受け付けた当該情報を前記記憶部に記憶し、前記処理制御部は、前記機器と前記通信制御装置とが通信するときに、前記中継器と当該通信制御装置とが通信し、さらに、当該中継器と当該機器とが前記記憶部に記憶されている前記通信仕様を用いて通信することで、当該中継器が当該機器と当該通信制御装置との通信を中継するように当該中継器の動作を制御する通信制御装置でもよい。
また、本発明に係る通信制御装置は、複数の機器と情報入力インタフェースを有する複数の端末とを備える通信制御システムに含まれ、ネットワークを介して前記複数の機器および前記複数の端末に接続された通信制御装置であって、記憶部と、前記複数の端末のうちいずれかの端末から、ユーザー情報、および、前記複数の機器のうちいずれかの機器と当該通信制御装置とが通信するときに前記通信制御システムが実行する処理の情報である処理情報を受け付け、受け付けた当該処理情報を当該機器および当該ユーザーに対応づけて前記記憶部に記憶する処理登録部と、前記機器と当該通信制御装置とが通信するときに、当該機器に対応づけて前記記憶部に記憶されている前記処理情報を用いて処理を実行するように、前記通信制御システムの動作を制御する処理制御部とを備える通信制御装置でもよい。
【手続補正４】
【補正対象書類名】明細書
【補正対象項目名】００３３
【補正方法】変更
【補正の内容】
【００３３】
これにより、通信機能を汎用的に利用できる装置として使用できる。
また、本発明に係る通信制御方法は、複数の機器と、情報入力インタフェースを有する複数の端末と、ネットワークを介して前記複数の機器および前記複数の端末に接続された管理サーバーとを備える通信制御システムにおける通信制御方法であって、前記複数の端末のうちいずれかの端末から、ユーザーの情報、および、前記複数の機器のうちいずれかの機器と前記管理サーバーとが通信するときに前記通信制御システムが実行する処理の情報である処理情報を受け付け、受け付けた当該処理情報を当該機器および当該ユーザーに対応づけて前記管理サーバーに備えられた記憶部に記憶する処理登録ステップと、前記機器と前記管理サーバーとが通信するときに、当該機器に対応づけて前記記憶部に記憶されている前記処理情報を用いて処理を実行するように、前記通信制御システムの動作を制御する処理制御ステップとを含み、前記処理登録ステップでは、前記処理情報として、前記機器および前記管理サーバーと通信する中継器と、前記機器との間における通信仕様を含む情報を受け付け、受け付けた当該情報を前記記憶部に記憶し、前記処理制御ステップでは、前記機器と前記管理サーバーとが通信するときに、前記中継器と当該管理サーバーとが通信し、さらに、当該中継器と当該機器とが前記記憶部に記憶されている前記通信仕様を用いて通信することで、当該中継器が当該機器と当該管理サーバーとの通信を中継するように当該中継器の動作を制御する通信制御方法でもよい。
また、本発明に係る通信制御方法は、複数の機器と、情報入力インタフェースを有する複数の端末と、ネットワークを介して前記複数の機器および前記複数の端末に接続された管理サーバーとを備える通信制御システムにおける通信制御方法であって、前記複数の端末のうちいずれかの端末から、ユーザーの情報、および、前記複数の機器のうちいずれかの機器と前記管理サーバーとが通信するときに前記通信制御システムが実行する処理の情報である処理情報を受け付け、受け付けた当該処理情報を当該機器および当該ユーザーに対応づけて前記管理サーバーに備えられた記憶部に記憶する処理登録ステップと、前記機器と前記管理サーバーとが通信するときに、当該機器に対応づけて前記記憶部に記憶されている前記処理情報を用いて処理を実行するように、前記通信制御システムの動作を制御する処理制御ステップとを含む通信制御方法でもよい。